(57)【要約】【課題】簡単な構造で、容易な操作により蓋片を仮止めして、簡単にきれいに梱包することができ、作業効率も良好な段ボール箱を提供する。【解決手段】筒体に組み立てられた側面１４，１６，１８，２０と、互いに平行に位置する一対の側面１６，２０に一対の蓋片４２，６２を有する。蓋片４２，６２を折罫線で折り曲げて、先端部４２ａ，６２ａ同士がつき合わされる。一方の蓋片４２には、先端部４２ａから突出する差込片４６を備える。他方の蓋片６２には、先端部６２ａから突出する一対の係止凸部６８を備える。一対の係止凸部６８の間は、差込片５６が差し込まれる係止凹部６６である。係止凹部６６は、蓋片４２，６２の先端部同士がつき合わされた状態で、差込片４６に対向する。蓋片４２，６２の先端部４２ａ，６２ａ同士がつき合わされた状態で、差込片４６と一対の係止凸部６８は、各々他方の蓋片４２，６２の裏面に係止される。【選択図】図１
0003213645.tif 000002
【実用新案登録請求の範囲】
【請求項１】
一枚の箱体形成片から成り、筒体に組み立てられた側面と、互いに対面する一対の前記側面に折罫線で区切られて一対の蓋片が設けられ、前記蓋片を前記折罫線で折り曲げて前記蓋片の先端部同士がつき合わされて前記筒体の開口部を閉鎖する段ボール箱であって、
前記蓋片の一方には前記先端部から突出する差込片が形成され、他方の前記蓋片には前記先端部から突出する一対の係止凸部が形成され、前記一対の係止凸部の間は前記差込片が差し込まれる係止凹部であり、前記係止凹部は前記蓋片の先端部同士がつき合わされた状態で前記差込片に対向する位置に設けられていることを特徴とする段ボール箱。
【請求項２】
前記係止凹部は、前記係止凸部の頂部からコの字形にくぼんで形成され、前記先端部に対して平行な方向の長さは前記差込片の幅よりも僅かに長く、前記先端部に対して平行な底部は前記先端部の延長線よりも僅かに前記蓋片の前記折罫線に近い位置にある請求項１記載の段ボール箱。
【請求項３】
前記一対の蓋片が設けられた前記側面に隣接し互いに対面する一対の前記側面に、折罫線で区切られた一対のフラップが設けられ、前記フラップは、前記一対の蓋片の裏面に重ねられて前記筒体の前記開口部を閉鎖し、前記蓋片の前記係止凸部または前記差込片に重なる部分に切欠部が形成されている請求項１記載の段ボール箱。
【請求項４】
前記蓋片は、前記筒体の上方の開口部を閉鎖する上蓋片であり、前記フラップは前記上蓋片の裏面に重ねられる上フラップである請求項１又は２記載の段ボール箱。
【考案の詳細な説明】
【技術分野】
【０００１】
この考案は、一対の上蓋片で開口部を閉鎖する段ボール箱に関する。
【背景技術】
【０００２】
従来、商品等の内容物を収容する段ボール箱は、上方の開口縁部に、互いに向かいあう一対の上蓋片と、一対の上蓋片の間に位置し互いに向かい合う一対のフラップが設けられている。段ボール箱の一般的な使用方法は、中に内容物を入れた後、一対のフラップを折り、このフラップの上に一対の蓋片を折り重ねると、一対の上蓋片により開口部が閉鎖され、一対の上蓋片の先端部同士がつき合わされる。つき合わされた一対の上蓋片の縁部同士を粘着テープで止めて、段ボール箱を封止するものである。
【０００３】
一般的な段ボール箱の場合、粘着テープをきれいに貼着するには、一対の上蓋を上手に押さえなければならず、難しいものであった。そこで、粘着テープきれいに貼付できるよう工夫がされた段ボール箱も提案されている。例えば、特許文献１の段ボール箱は、平面視で六角形状を呈した筒部と、この筒部の一方の開口を閉止する底板と、他方の開口を閉止する蓋体とを備えている。底板と蓋体は、各６枚のフラップから成り、このうち一対のフラップの先端縁部には、底板又は蓋体の閉止状態を維持し得る嵌め合わせ構造が設けられている。嵌め合わせ構造は、先端縁部の中央部分に、外側に突出する係止突起と、先端縁部を略矩形に切り欠いた係止凹部が隣接して形成されている。そして、係止突起と係止凹部を有する同形のフラップが互いに向かい合って設けられ、各係止突起が、対向する各係止凹部からフラップの裏面に差し込まれて係止され、閉止状態が維持される。そして、つき合わされた一対のフラップの先端縁部に沿って粘着テープを貼着する。この段ボール箱によれば、底板または蓋体の閉止状態が維持され、粘着テープを貼着する際に底板または蓋体を押える必要がなく、段ボール箱から手を離して容易にきれいに粘着テープを貼着することができる。
【先行技術文献】
【特許文献】
【０００４】
【特許文献１】特開２００６−９６４０５号公報
【考案の概要】
【考案が解決しようとする課題】
【０００５】
上記背景技術の場合、閉止状態で、一対のフラップの先端縁部には、係止突起に押し上げられて係止凹部側に浮き上がる力が加わり、係止突起が外れやすく、閉止が不安定なものである。また、粘着テープを貼着する面に係止凹部が位置し、貼着面に凹凸が生じ、粘着テープに空気が入りやすく、粘着力が低下する恐れがある。また、閉止する際は係止突起を曲げながら係止凹部に差し込むものであり、操作性が悪い。
【０００６】
この考案は、上記背景技術の問題点に鑑みてなされたものであり、簡単にきれいに梱包することができ、作業効率も良好な段ボール箱を提供することを目的とする。
【課題を解決するための手段】
【０００７】
本考案は、一枚の箱体形成片から成り、筒体に組み立てられた側面と、互いに平行に位置する一対の前記側面に折罫線で区切られて一対の蓋片が設けられ、前記蓋片を前記折罫線で折り曲げて前記蓋片の先端部同士がつき合わされて前記筒体の開口部を閉鎖する段ボール箱である。前記蓋片の一方には前記先端部から突出する差込片が形成され、他方の前記蓋片には前記先端部から突出する一対の係止凸部が形成されている。前記一対の係止凸部の間は前記差込片が差し込まれる係止凹部であり、前記係止凹部は前記蓋片の先端部同士がつき合わされた状態で前記差込片に対向する位置に設けられている。この段ボール箱は、前記蓋片の先端部同士がつき合わされた時、前記差込片と一対の前記係止凸部は、各々他方の前記蓋片の裏面に差し込まれ、前記箱体形成片の弾性により前記裏面に押し付けられて係止され、前記一対の蓋片により前記開口部を閉鎖するものである。
【０００８】
また、前記係止凹部は、前記係止凸部の頂部からコの字形にくぼんで形成され、前記先端部に対して平行な方向の長さは前記差込片の幅よりもわずかに長く、前記先端部に対して平行な底部は前記先端部の延長線の近傍に位置している。
【０００９】
また前記一対の蓋片が設けられた前記側面に隣接し互いに平行に位置する一対の前記側面に、折罫線で区切られた一対のフラップが設けられ、前記フラップは、前記一対の蓋片の裏面に重ねられて前記筒体の前記開口部を閉鎖し、前記蓋片の前記係止凸部または前記差込片に重なる部分に切欠部が形成されている。
【００１０】
また、前記蓋片は、前記筒体の上方の開口部を閉鎖する上蓋片であり、前記フラップは前記上蓋片の裏面に重ねられる上フラップである。
【考案の効果】
【００１１】
本考案の段ボール箱は、簡単な構造で、容易な操作により蓋片を仮止めして、簡単にきれいに梱包することができる。しかも、作業効率を良いものである。また、蓋片を仮止めする時は、蓋片を押すだけの簡単な操作で係止させることができる。
【図面の簡単な説明】
【００１２】
【図１】この考案の一実施形態の段ボール箱の上蓋片の一方を閉じ一方を開けた状態を示す斜視図（ａ）と、一対の蓋片を閉じて仮止めした状態を示す斜視図（ｂ）である。
【図２】この実施形態の段ボール箱の展開図である。
【図３】この実施形態の段ボール箱の一対の上蓋片に粘着テープを貼付して封止した状態を示す斜視図である。
【考案を実施するための形態】
【００１３】
以下、この考案の実施形態について図面に基づいて説明する。図１、図２はこの考案の一実施形態を示すもので、この実施形態の段ボール箱１０は、段ボール製の一枚のブランクシートを所定の形状に打ち抜いて形成された箱体形成片１２を組み立てて設けられている。
【００１４】
図２は、箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１６，２０が長くて互いにほぼ等しく、側面１４、１８はそれより短くて互いにほぼ等しい。さらに側面２０の側縁部には、段ボール箱１０の組み立て状態で側面１４の裏面に糊付けされる糊付片２２が設けられている。側面１４，１６，１８，２０、糊付片２２は、各々折罫線２４，２６，２８，３０で区切られている。
【００１５】
側面１４において、側面同士の連接方向に対して直角な方向の一端部には、上フラップ３２が折罫線３４で区切られて設けられている。上フラップ３２は、折罫線３４を一辺とする矩形であり、折罫線３４の反対側の先端部３２ａまでの長さは、折罫線３４より少し短い。先端部３２ａの中心には、先端部３２ａに対して略直角に交差する溝状の切欠部３６が形成されている。切欠部３６は、先端部３２ａと反対側の端部は、上フラップ３２の中心を超えて折罫線３４に近い位置に達している。切欠部３６の、先端部３２ａに対して平行な幅は、後述する上蓋片６２の係止凸部６８の端部６２ａからの突出長さの２倍よりも少し長いものである。
【００１６】
側面１４の、折罫線３４と反対側の端部には、矩形の底フラップ３８が折罫線４０で区切られて設けられている。底フラップ３８は、折罫線４０を一辺とする矩形であり、折罫線４０の反対側の端部３８ａまでの長さは、上フラップ３２よりも少し短い。
【００１７】
側面１６の、側面１４の折罫線３４に連続する端部には、上蓋片４２が折罫線４４で区切られて設けられている。上蓋片４２は、折罫線４４を一辺とする矩形であり、折罫線４４の反対側の先端部４２ａまでの長さは、段ボール箱１０の組立状態で側面１４，１６，１８，２０で組み立てられた筒体上方の開口部の中心線に位置する長さ、つまり側面１４，１８の連接方向の長さの約半分である。そして先端部４２ａは、上フラップ３２の先端部３２ａよりも、折罫線４４に近い位置にある。先端部４２ａの中心には、先端部４２ａから突出する差込片４６が設けられている。差込片４６は、小さい矩形である。側面１６の、折罫線４４と反対側の端部には、矩形の底蓋片４８が折罫線５０で区切られて設けられている。底蓋片４８は、折罫線５０を一辺とする矩形であり、折罫線５０の反対側の先端部４８ａまでの長さは、上蓋片４２とほぼ同じであり、段ボール箱１０の組立状態で側面１４，１６，１８，２０で組み立てられた筒体下方の開口部の中心線に位置する長さ、つまり側面１４，１８の連接方向の長さの約半分である。なお、底フラップ３８の先端部３８ａと、底蓋片４８の先端部４８ａは互に一致している。
【００１８】
側面１８の、側面１６の折罫線４４に連続する端部には、上フラップ５２が折罫線５４で区切られて設けられている。上フラップ５２は、上フラップ３２とほぼ同じ形状であり、折罫線５４と反対側の先端部５２ａには、切欠部３６とほぼ同じ形状の切欠部５６が設けられている。側面１８の、折罫線５４と反対側の端部には、矩形の底フラップ５８が折罫線６０で区切られて設けられている。底フラップ５８は、底フラップ３８とほぼ同じ大きさの矩形である。
【００１９】
側面２０の、側面１８の折罫線５４に連続する端部には、上蓋片６２が折罫線６４で区切られて設けられている。上蓋片６２は折罫線６４を一辺とする矩形であり、側面部６４の反対側の先端部６２ａまでの長さは、上蓋片４２とほぼ同じである。先端部６２ａの中心を挟む２か所には、先端部６２ａから突出する係止凸部６８が設けられている。係止凸部６８は差込片４６とほぼ同じ大きさの矩形であり、先端部６２ａからの突出量は、差込片４６の、先端部４２ａからの突出量と等しく、先端部６２ａに対して平行な長さは差込片４６よりわずかに大きい。一対の係止凸部６８の間は差込片４６が差し込まれる係止凹部６６である。係止凹部６６は、先端部６２ａの中心に位置し、上蓋片４２，６２の先端部４２ａ，６２ａ同士がつき合わされた状態で差込片４６に対向する位置に設けられている。係止凹部６６は、係止凸部６８の頂部６８ａからコの字形にくぼんで形成され、先端部６２ａに対して平行な長さは差込片４６の先端部４２ａに対して平行な幅よりもわずかに長く、差込片４６が僅かな隙間を有して差し込み可能である。係止凹部６６の、先端部６２ａに対して平行な底部６６ａは先端部６２ａの延長線よりも僅かに折罫線６４に近い位置にある。側面２０の、折罫線６４と反対側の端部には、矩形の底蓋片７０が折罫線７２で区切られて設けられている。
【００２０】
次に、この実施形態の段ボール箱１０の組立方法の一例について説明する。ここでは、図２が箱体形成片１２の表面から見た展開図であり、箱体形成片１２の表面が凸になる折り方を正折り、そして、裏面が凸になる折り方を逆折りと称する。
【００２１】
まず糊付片２２の表面に糊７４を塗布し、折罫線２８を正折りする。さらに折罫線２４を正折りし、糊付片２２の表面は糊７４により側面１４の裏面に糊付けされる。これにより箱体形成片１２は折り畳み状態となり、この状態で出荷される。
【００２２】
次に、内容物を収容し包装する出荷場において、折罫線２４，２６，２８，３０を各々９０°に正折りして四角形の筒体にする。そして、底フラップ３８，５８を折罫線４０，６０で９０°に正折りし、次に底蓋片４８，７０を折罫線５０，７２で９０°に正折りする。底蓋片４８の先端部４８ａと、底蓋片７０の先端部７０ａは互いにつき合わせられ、つき合わされた先端部４８ａ，７０ａに沿って、底蓋片４８と７０を幅方向に跨いで粘着テープで貼着する。これにより箱体の底面が完成する。この状態で、図示しない内容物を中に入れる。
【００２３】
内容物を中に入れた後、図１（ａ）に示すように、フラップ３２，５２を折罫線３４，５４で各々９０°に正折りし、その後上蓋片６２を折罫線６４で９０°に正折りして、フラップ３２，５２の表面に、側面２０側の約半分を覆って重ねる。そして、上蓋片４２を折罫線４４で９０°に正折りして、フラップ３２，５２の表面に、側面１６側の約半分を覆って重ねる。この時、上蓋片４２の差込片４６は、上蓋片６２の表面に重ねられる。さらに、上蓋片４２の差込片４６付近を上方から押し込むと、上蓋片４２，６２は押されて下がり、一対の係止凸部６８は上フラップ３２，５２の切欠部３６，５６の中に差し込まれ、容易に箱体の内側に沈む。上蓋片４２，６２が沈むにつれて先端部４２ａ，６２ａは僅かに離れ、差込片４６と上蓋片６２の重なりが小さくなり、差込片４６が係止凹部６６の底部６６ａから後退すると係止凹部６６に落ちる。その状態で押圧を解除すると、上蓋片４２，６２が段ボールの弾性で戻って上がり、差込片４６が係止凹部６６の底部６６ａの裏面に当接する。
【００２４】
このとき、上蓋片６２の一対の係止凸部６８は、上蓋片４２の先端部４２ａの裏面に重ねられる。段ボールの弾性により上蓋片４２，６２は、開く方向に力が加えられるが、上蓋片４２の差込片４６と、上蓋片６２の係止凸部６８は、対向する上蓋片４２，６２の裏面に係止され、図１（ｂ）に示すように、箱体の開口をきれいに閉鎖する。そして上蓋片４２の先端部４２ａと、上蓋片６２の先端部６２ａは互いにつき合わせられ、係止凹部６６の底部６６ａは、先端部４２ａ，６２ａの近傍に略平行に位置している。先端部４２ａ，６２ａ、底部６６ａに沿って、上蓋片４２と上蓋片６２を幅方向に跨いで粘着テープ７６を貼る。これにより、図３に示すように包装が完了する。
【００２５】
段ボール箱１０から内容物を取り出す時は、粘着テープ７６をはがして上蓋片４２の先端部４２ａ等を保持して引き上げ、差込片４６を係止凹部６６から引き抜く。すると上蓋片４２と上蓋片６２の係止が外れ、簡単に開けることができる。
【００２６】
この実施形態の段ボール箱１０によれば、簡単な構造で、簡単な操作により上蓋片４２と上蓋片６２を互いに仮止めして粘着テープ７６を簡単できれいに貼ることができ、梱包する作業効率が良好である。上蓋片４２，６２を仮止めする操作は、上蓋片４２の差込片４６付近を押し下げるだけであり、片手でも行うことができ、簡単である。係止状態では、差込片４６の両側に係止凸部６８が位置し、段ボールの弾性力が上蓋片４２，６２の先端部４２ａ，６２ａに沿って均等にかかり、係止状態が安定し、手で押さえる必要がなく、容易に粘着テープ７６を貼着することができる。上蓋片６２の係止凹部６６の底部６６ａは、先端部６２ａよりも僅かに折罫線６４に近い位置に逃げて設けられているため、差込片４６が差し込みやすくなり、また差込片４６が裏面に押し付けられた時に無理な力がかからない。係止凹部６６の底部６６ａは、先端部４２ａ，６２ａの近傍で略平行に設けられ１本の粘着テープ７６の中心に位置してきれいに貼着される。粘着テープ７６を貼る表面に凹凸が少なく、空気が入ることがなく、確実に貼着される。段ボール箱１０は、粘着テープ７６を貼着する前に上蓋片４２，６２を仮止めして保管したり、再び開口させて内容物を変更したり、作業の流れを自由に変更することができる。上蓋片４２，６２の係止に特別な道具や装置が不要であり、箱体形成片１２の形状を変更するだけであり、通常の段ボール箱の製造工程で作ることができる。
【００２７】
なお、この考案の段ボール箱は、前記実施の形態に限定されるものではなく、箱体の大きさ、素材、底部の形状等、適宜変更可能である。差込片と係止凸部の数や大きさは上記以外でも良く、上蓋片の先端部に沿ってバランスよく設けられていればよい。蓋片の固定方法は、粘着テープを貼付する以外に、差込片や係止凸部を蓋片の裏面に接着するものでも良い。さらに、接着位置や蓋片の位置も、箱体により適正設定可能なものである。差込片と係止凸部も、簡単な操作で確実に係止されるものであれば良く、例えば差込片と係止凸部の突出量が長いと強い力で係止されるが係止するために上蓋片を深く押さなければならず係止する作業が面倒となるので、用途に合わせて適宜設定すれば良い。底蓋片にも、差込片と係止凸部、係止凹部を設け、互いに係止するようにしても良い。
【符号の説明】
【００２８】
１０  段ボール箱
１２  箱体形成片
１４，１６，１８，２０  側面
３２，５２  上フラップ
３６，５６  切欠部
４２，６２  上蓋片
４２ａ，６２ａ  先端部
４４，６４  折罫線
４６  差込片
６６  係止凹部
６６ａ  底部
６８  係止凸部
６８ａ  頂部
【図１】
0003213645.tif 000003
【図２】
0003213645.tif 000004
【図３】
0003213645.tif 000005
【手続補正書】
【提出日】平成29年9月26日(2017.9.26)
【手続補正１】
【補正対象書類名】実用新案登録請求の範囲
【補正対象項目名】請求項４
【補正方法】変更
【補正の内容】
【請求項４】
前記蓋片は、前記筒体の上方の開口部を閉鎖する上蓋片であり、前記フラップは前記上蓋片の裏面に重ねられる上フラップである請求項３記載の段ボール箱。